(57)【特許請求の範囲】
【請求項１】
起伏堰を設置して形成した貯水池の河床の地下に接触ろ過室を設け、前記起伏堰の上流側水路に前記接触ろ過室の入口を開口すると共に該入口にスクリーンを取り付け、前記起伏堰の下流側水路に前記接触ろ過室の出口を開口すると共に該出口にスクリーンを取り付け、前記接触ろ過室に水処理用接触材を収容したことを特徴とする河川の浄化装置。
【請求項２】
前記起伏堰の上流側河床に前記接触ろ過室の前記入口を設け、第２の起伏堰を、倒伏時に前記入口を閉鎖するように前記入口の直上流側に設けたことを特徴とする請求項１記載の河川の浄化装置。
【請求項３】
前記接触ろ過室の前記入口を前記貯水池の側壁に設けたことを特徴とする請求項１記載の河川の浄化装置。
【発明の詳細な説明】
【０００１】
【発明の属する技術分野】
河川に流れ込む水は前処理を行って浄化され合流されるようになっているが、流入する水量が多くなってくると汚染は免れない。本発明は、このような河川の浄化装置にかかるものである。
【０００２】
【従来技術】
従来の浄化装置には護岸の空き地（河川敷等）を利用して装置を設置し水質を浄化させようとするものがある。一例として、上流側に連通する散水管を空き地に埋設してこの土壌に水を浸透させ、散水管に沿って埋設した集水管を下流側に連通させ、土壌に浸透した水を回収して下流に流すようにしたものである（特開平３−２６２５９５号公報参照）。あるいは、河川敷にバイパス水路を形成させ、水路中に活性化石灰を設置する方式もある（特開昭４８−５３５５４号公報参照）。
【０００３】
また、河川水路内に、直接、ポーラス状のセラミックス接触材を、河川を横断するように堰体状にして固着したものがある（特開昭６１−２３０７８７号公報参照）。このほかにも、河川水路の水中に設置するものとして、平板網状の水処理用接触材の一端を河床に係着させ、他端に浮体を装着して水中に起立させるようにしたものがある（実公平７−４３１５６号公報参照）。この水処理用接触材は浮体により水位にしたがって変動するようになっている。
【０００４】
【発明が解決しようとする課題】
しかしながら、前述した河川側方の空き地に散水管および集水管を配列して埋設することは、かなりの設置スペースを必要とし、近年、空き地が道路や宅地になってくるので設置条件の合う箇所も少なくなってきており、設置場所の確保が困難な場合がある。
一方、河川水路の水中に浄化用接触材を設置するものでは、洪水時、流水の妨げとなる。また、浮体によって水処理用接触材を水中に立たせていると、水流が強い場合、例えば洪水時、水処理用接触材が大きく傾倒するが、流下物がその上を通り、塵芥及び転石等で接触材の破損や、土砂等の堆砂により埋没し、初期の機能を損なう虞があり、このため維持管理費が高価となる。
【０００５】
したがって、本発明は、河川外の新たな設置スペースを必要とせず、流水の流れを阻止しないように、水処理用接触材を有効な箇所に配設するようにした河川の浄化装置を提供することを目的とする。
【０００６】
【課題を解決するための手段】
本発明に係る河川の浄化装置は、起伏堰を設置して形成した貯水池の河床の地下に接触ろ過室を設け、前記起伏堰の上流側水路に前記接触ろ過室の入口を開口すると共に該入口にスクリーンを取り付け、前記起伏堰の下流側水路に前記接触ろ過室の出口を開口すると共に該出口にスクリーンを取り付け、前記接触ろ過室に水処理用接触材を収容したことを特徴とする。
また、本発明に係る河川の浄化装置は、上記の構成において、起伏堰の上流側河床に接触ろ過室の入口を設け、第２の起伏堰を、倒伏時に前記入口を閉鎖するように入口の直上流側に設けたことを特徴とする。あるいは、接触ろ過室の入口を貯水池の側壁に設けたことを特徴とする。
【０００７】
【発明の実施の形態】
本発明に係る河川の浄化装置は起伏堰により貯水池を形成させ、貯水池水位を利用して河床の地下に設けた接触ろ過室に水を流して浄化し、接触ろ過室を通った水を下流に流すようにしたものである。起伏堰にはシリンダで作動させる鋼板の堰体を使用したものや空気式のゴム堰を使用したものがある。
接触ろ過室の前後には入口および出口を開口させ、入口および出口のそれぞれにはスクリーンが設けられ、内部に装填された水処理用接触材が流れ出さないようにされている。また、洪水時には接触ろ過室内への水の流入を防止するように第２の起伏堰の倒伏によって入口を塞ぐようにしている。
【０００８】
【実施例】
以下、本発明の実施例を添付図面に基づいて説明する。図１、図２に示すように、河川の下流側および上流側に設けられた２つの起伏堰２，３は河床４に取り付けられた回動軸５，６によって鋼板７，８を回動自在に設け、鋼板７，８はそれぞれシリンダ（図示略）によって起伏駆動されるようになっている。この起伏堰２，３はゴム堰でも良いことは勿論である。また、河床４は高低差が取れる地形であるので、起伏堰２，３の下流側は低くされ、上流側の起伏堰３の直下流の河床４には、地下に形成した接触ろ過室９の入口１０が開口し、下流側の起伏堰２の下流側には、河床４の段差部の壁面に接触ろ過室９の出口１１が開口している。
【０００９】
接触ろ過室９の入口１０および出口１１にはスクリーン１２，１３が設けられ、接触ろ過室９の内部に、比重が水より小さい樹脂性のキュービック形状の水処理用接触材１４が収納されている。また、出口１１には流量調節ゲート１５が設けられており、接触ろ過室９の床部には曝気用配管１６が敷設され、護岸の送風機１７と連結されている。なお、符号１８は水位計である。
【００１０】
以上のように設置した河川の浄化装置において、上流側の起伏堰３は、常時、上流側に堆砂１９させ、浄化装置内への流砂を防止すると共に、洪水時には、倒伏して浄化装置内へ砂が入るのを防ぐものである。下流側の起伏堰２は、常時、貯水して貯水池を形成し、河川１の流速を遅くして土砂浮遊物質等の沈殿作用を支援するものである。また、流量調節ゲート１５は、水位計１８の測定値で自動調節され、常時、河川流量の変化に対し、流量が小のときは、この流量調節ゲート１５の開度を小さくし、接触ろ過室９での滞溜時間を大きくし浄化度を大きくする。流量が大になると、流量調節ゲート１５の開度を大きくして、下流側の起伏堰２よりの越流を防止する。
【００１１】
河川１の水は上流側の起伏堰３を越えて入口１０から接触ろ過室９の水処理用接触材１４に到達し、流下中に浄化され、出口１１から下流へ流れる。このとき、塵芥等の浮遊物はスクリーン１２によって入り込まず、また、スクリーン１２，１３が出入口に配されているので流水によって水処理用接触材１４が流出することはない。
【００１２】
また、小洪水時（常時貯水深から倒伏水深の水位）には、流量調節ゲート１５を全開にし、接触ろ過室９の流量を大として浄化する。ただし、大洪水時には、水に土砂等を多く含んでいるため、流量調節ゲート１５を全閉にし、接触ろ過室９内には水を流下させないようにする。
また、起伏堰がゴム堰の場合、この設備の送風機を曝気用に利用できるので設備費を節約することができる。
【００１３】
水処理用接触材１４の取り替えについて説明する。スクリーン１２および１３を取り外して上流より接触ろ過室９に水を流すと、比重の小さいキュービック形状の水処理用接触材１４が水と一緒に押し流される。その後、下流側のスクリーン１３を出口１１に固定して入口１０から水処理用接触材１４を水と一緒に投入し、上流側のスクリーン１２を入口１０に固定する。
【００１４】
このように、浄化装置を下流側の起伏堰２により形成される貯水池の河床４の地下に設けることにより、設置スペースの確保が簡単であり、また、上下流の水位差を利用して水処理用接触材１４の取り替え等が容易となる。また、従来と比べても、水処理用接触材１４の破損の心配がなく、河川の流下断面の阻害はないものである。
【００１５】
図３に示すように、河床４の高低差がない箇所に浄化装置を設置する場合、下流側および上流側に設けられた２つの起伏堰２，３が倒伏したときに収容される凹部２０，２０を床面に形成し、この凹部２０，２０に接触ろ過室９の出入口１０，１１を設け、河床４の地下に接触ろ過室９を設ける。この場合、下流側の起伏堰２によって貯水池の水位が下流側水位より高くなるので、接触ろ過室９に流れる水量は十分確保される。
【００１６】
図４、図５に示す浄化装置は、起伏堰２の上流の側壁２１に接触ろ過室９の入口２２を形成したもので、図１〜図３に示す入口１０を封鎖する起伏堰３を廃止したものである。この起伏堰２の下方の地下に接触ろ過室９が設けられ、起伏堰２の下流の河床４の段差部に出口１１が形成されている。この浄化装置では、１つの起伏堰２を操作するので図１〜図３に示す浄化装置より操作が簡単である。
【００１７】
【発明の効果】
本発明は以上のように構成したので、河川の側方に空き地がなくても起伏堰により形成される貯水池の河床の地下に接触ろ過室を設けるので、設置スペースの確保が容易となり、また、上下流の水位差を利用して、接触ろ過室に流水を誘導し水処理用接触材と接触させるので、効率も良いものである。また、この流水を利用して水処理用接触材の取り替え作業が簡単になる。
また、従来の浄化装置と比べて、水中に設けていないので、流下物による水処理用接触材の破損はなくなり、河川の流下断面も広く有効に使用できるものである。
【図面の簡単な説明】
【図１】  本発明による実施例の浄化装置の側断面図である。
【図２】  図１に示す装置の正面図である。
【図３】  図１に示す装置の河床に段差のない場合の構成を示す側断面図である。
【図４】  他の実施例の浄化装置の側断面図である。
【図５】  図４に示す装置の正面図である。
【符号の説明】
２，３      起伏堰
４          河床
９          接触ろ過室
１０        入口
１１        出口
１２，１３  スクリーン
１４        水処理用接触材
２１        貯水池の側壁
【図１】
0003787728.tif 000002
【図２】
0003787728.tif 000003
【図３】
0003787728.tif 000004
【図４】
0003787728.tif 000005
【図５】
0003787728.tif 000006